(57)【要約】【課題】使用済みのリボンが巻き崩れることを防止するとともに、リボンを容易に分離して廃棄することができるリボン巻取軸を提供する。【解決手段】本発明によるリボン巻取軸３０は、リボン１３の一方部分１３ａに対応してリボン１３の一方部分１３ａを巻き取る第１大径部３３と、第１大径部３３に連結され、リボン１３の他方部分１３ｂに対応してリボン１３の他方部分１３ｂを巻き取る円筒状の第２大径部３５とを有する軸部分本体３１を備えている。このうち第２大径部３５は、軸方向に沿って第１大径部３３とは反対側に延びる複数の突片３６を含んでいる。また、リボン巻取軸３０は、軸部分本体３１の第２大径部３５の内周面３５ｂに嵌合する小径部４３を有し、各突片３６を係止する係止体３２を備えている。【選択図】図３
2011042146.tif 000002
【特許請求の範囲】
【請求項１】
リボンの巻取方向に沿って一方部分と他方部分とに切断されたリボンを巻き取るリボン巻取軸において、
リボンの一方部分に対応してリボンの一方部分を巻き取る第１大径部と、第１大径部に連結され、リボンの他方部分に対応してリボンの他方部分を巻き取るとともに、軸方向に沿って第１大径部とは反対側に延びる複数の突片を含む円筒状の第２大径部とを有する軸部分本体と、
軸部分本体の第２大径部の内周面に嵌合する小径部を有し、各突片を係止する係止体と、を備えたことを特徴とするリボン巻取軸。
【請求項２】
各突片は、第２大径部の全長にわたって形成されていることを特徴とする請求項１に記載のリボン巻取軸。
【請求項３】
各突片の基端に、全周にわたって延びる環状凹部が設けられていることを特徴とする請求項２に記載のリボン巻取軸。
【請求項４】
係止体の小径部の外周面に、半径方向に延び、第２大径部の各突片間に嵌め込まれる複数の係止片が設けられていることを特徴とする請求項１乃至３のいずれかに記載のリボン巻取軸。
【請求項５】
係止体の各係止片は、第２大径部の突片の軸方向長さと略同一の軸方向長さを有するとともに、係止体の小径部が第２大径部の内周面に嵌合した場合に、各係止片の外周面と各突片の外周面とが同一周面上に配置されることを特徴とする請求項４に記載のリボン巻取軸。
【請求項６】
第１大径部の外周面に、第１大径部の全長にわたって軸方向に延びる複数の溝部が形成されていることを特徴とする請求項２または３に記載のリボン巻取軸。
【請求項７】
第１大径部に形成された各溝部は、第２大径部の各突片間に対応して形成されていることを特徴とする請求項６に記載のリボン巻取軸。
【請求項８】
リボンの巻取方向に沿って一方部分と他方部分とに切断されたリボンを巻き取るリボン巻取軸において、
リボンの一方部分に対応してリボンの一方部分を巻き取る第１大径部と、第１大径部に連結され、リボンの他方部分に対応してリボンの他方部分を巻き取るとともに、軸方向に沿って第１大径部とは反対側に延びる複数の突片を含む円筒状の第２大径部とを有する軸部分本体と、
軸部分本体の第２大径部の各突片間に嵌め込まれる複数の係止片を有し、各突片を係止する係止体と、を備えたことを特徴とするリボン巻取軸。
【請求項９】
リボンを繰り出すリボン繰出軸と、リボンを巻き取るリボン巻取軸と、リボンをリボンの巻取方向に沿って一方部分と他方部分とに切断するカッター刃とを備え、
リボン巻取軸は、請求項１乃至８のいずれか一項に記載のリボン巻取軸からなることを特徴とするリボンカセット。
【請求項１０】
請求項９に記載のリボンカセットを備えたことを特徴とする印刷装置。
【発明の詳細な説明】
【技術分野】
【０００１】
本発明は、リボンの巻取方向に沿って一方部分と他方部分とに切断されたリボンを巻き取るリボン巻取軸、リボンカセット、および印刷装置に係り、とりわけ、使用済みのリボンが巻き崩れることを防止するとともに、リボンを容易に分離して廃棄することができるリボン巻取軸、リボンカセット、および印刷装置に関する。
【背景技術】
【０００２】
従来より、熱転写リボンを用いて個人情報が印刷されたＩＤカード等を作成することが行われている。この場合、リボンに印字情報（住所、氏名、生年月日、会員番号、顔写真等の個人情報）の痕跡が残るため、使用済みリボンをそのまま一般ゴミとして処理することはできない。このため、このような使用済みリボンを廃棄処理する場合には、専門の業者に処分を依頼する、あるいは自前で破砕処理（シュレッダ）することが必要となり、コストが掛かっている。
【０００３】
これに対して、個人情報を特定させないために、リボンをカッターで分割しながら巻取軸に巻き取り、巻き取った後、巻取軸からリボン片を取り出して処分する方法が考えられる。しかしながら、リボンは巻取軸に堅く巻き付いているため、巻取軸からリボン片を取り出すことは困難であり、手間が掛かる作業となっている。
【０００４】
このようなことに対処するために、巻取軸に分離用スリットを形成して、巻取軸を複数の部分に分離する技術が開示されている（例えば、特許文献１および２参照）。
【先行技術文献】
【特許文献】
【０００５】
【特許文献１】特開２００５−１１５５号公報
【特許文献２】特開２００５−１１５６号公報
【発明の概要】
【発明が解決しようとする課題】
【０００６】
しかしながら、特許文献１および２における分離用スリットが形成された部分は、強度が低下し変形しやすい部分となっている。このことにより、巻取軸にリボンが堅く巻き付けられると、分離用スリットが形成された部分が変形し、リボンを幅方向にわたって均一に巻き取ることが困難になる。
【０００７】
特に、巻取軸を片側から駆動している場合にはこの傾向が顕著となり、巻心ズレが生じてリボンが端に寄り、搬送路からはみ出すおそれがある。これにより、印字ヘッド部分において発熱体からリボンが外れて印字不良（欠字等）を起こす、あるいは、リボンがガイド部材に乗り上げて皺が発生し、一部が印字されないなどの問題が発生するおそれがある。
【０００８】
これらの問題を回避するための対策として、例えば巻取軸の両端が同じ角速度となるように巻取軸を駆動することが考えられる。しかしながらこの場合、巻取装置の構造が複雑になるという問題がある。その他の対策としては、巻取軸の両端に巻崩れ防止のためのフランジを追加する、あるいは、剛性が高まるように分離用スリットの配置を工夫することも考えられるが、このような設計をすることは現実的には困難である。
【０００９】
本発明はこのような点を考慮してなされたものであり、使用済みのリボンが巻き崩れることを防止するとともに、リボンを容易に分離して廃棄することができるリボン巻取軸、リボンカセット、および印刷装置を提供することを目的とする。
【課題を解決するための手段】
【００１０】
本発明は、リボンの巻取方向に沿って一方部分と他方部分とに切断されたリボンを巻き取るリボン巻取軸において、リボンの一方部分に対応してリボンの一方部分を巻き取る第１大径部と、第１大径部に連結され、リボンの他方部分に対応してリボンの他方部分を巻き取るとともに、軸方向に沿って第１大径部とは反対側に延びる複数の突片を含む円筒状の第２大径部とを有する軸部分本体と、軸部分本体の第２大径部の内周面に嵌合する小径部を有し、各突片を係止する係止体と、を備えたことを特徴とするリボン巻取軸である。
【００１１】
本発明は、各突片は、第２大径部の全長にわたって形成されていることを特徴とするリボン巻取軸である。
【００１２】
本発明は、各突片の基端に、全周にわたって延びる環状凹部が設けられていることを特徴とするリボン巻取軸である。
【００１３】
本発明は、係止体の小径部の外周面に、半径方向に延び、第２大径部の各突片間に嵌め込まれる複数の係止片が設けられていることを特徴とするリボン巻取軸である。
【００１４】
本発明は、係止体の各係止片は、第２大径部の突片の軸方向長さと略同一の軸方向長さを有するとともに、係止体の小径部が第２大径部の内周面に嵌合した場合に、各係止片の外周面と各突片の外周面とが同一周面上に配置されることを特徴とするリボン巻取軸である。
【００１５】
本発明は、第１大径部の外周面に、第１大径部の全長にわたって軸方向に延びる複数の溝部が形成されていることを特徴とするリボン巻取軸である。
【００１６】
本発明は、第１大径部に形成された各溝部は、第２大径部の各突片間に対応して形成されていることを特徴とするリボン巻取軸である。
【００１７】
本発明は、リボンの巻取方向に沿って一方部分と他方部分とに切断されたリボンを巻き取るリボン巻取軸において、リボンの一方部分に対応してリボンの一方部分を巻き取る第１大径部と、第１大径部に連結され、リボンの他方部分に対応してリボンの他方部分を巻き取るとともに、軸方向に沿って第１大径部とは反対側に延びる複数の突片を含む円筒状の第２大径部とを有する軸部分本体と、軸部分本体の第２大径部の各突片間に嵌め込まれる複数の係止片を有し、各突片を係止する係止体と、を備えたことを特徴とするリボン巻取軸である。
【００１８】
本発明は、リボンを繰り出すリボン繰出軸と、リボンを巻き取るリボン巻取軸と、リボンをリボンの巻取方向に沿って一方部分と他方部分とに切断するカッター刃とを備えたことを特徴とするリボンカセットである。
【００１９】
本発明は、リボンカセットを備えたことを特徴とする印刷装置である。
【発明の効果】
【００２０】
このように本発明によれば、リボンの巻取方向に沿って切断されたリボンの一方部分が軸部分本体の第１大径部に巻き取られ、リボンの他方部分が軸部分本体の第２大径部に巻き取られる。この間、第２大径部の内周面に係止体の小径部が嵌合し、各突片を係止している。このことにより、各突片が内側へ傾倒することを防止することができる。このため、リボン巻取軸が全体として剛性をもつことができ、リボンを幅方向にわたって均一に巻き取って、リボンが巻き崩れることを防止することができる。また、係止体を軸方向に沿って第２大径部から引き離すことにより、軸部分本体から係止体を容易に取り外すことができる。このことにより、第２大径部の各突片を内側へ傾倒させることができ、リボンの一方部分から他方部分を容易に分離して取り出すことができる。このため、使用済みリボンを容易に分離して廃棄することができ、個人情報が漏洩することを確実に防止することができる。
【図面の簡単な説明】
【００２１】
【図１】図１は、本発明の第１の実施の形態におけるプリンタおよびリボンカセットを示す概略図。
【図２】図２は、本発明の第１の実施の形態におけるリボン巻取軸およびカッター刃を示す図。
【図３】図３は、本発明の第１の実施の形態におけるリボン巻取軸を示す分解斜視図
【図４】図４は、図３のＸ−Ｘ線断面を示す図。
【図５】図５は、本発明の第１の実施の形態においてリボンの切断箇所の例を示す平面図。
【図６】図６は、本発明の第２の実施の形態におけるリボン巻取軸およびカッター刃を示す図。
【図７】図７は、本発明の第２の実施の形態におけるリボン巻取軸を示す分解斜視図
【図８】図８は、本発明の第２の実施の形態におけるリボン巻取軸の係止体の他の例を示す斜視図。
【発明を実施するための形態】
【００２２】
第１の実施の形態
以下、図面を参照して、本発明の実施の形態について説明する。ここで、図１乃至図５は、本発明の第１の実施の形態におけるリボン巻取軸、リボンカセット、および印刷装置を示す図である。
【００２３】
まず、図１により、プリンタ（印刷装置）１およびリボンカセット１０の全体構成について説明する。
【００２４】
図１に示すように、プリンタ１は、リボンカセット１０と、このリボンカセット１０の熱転写部（後述）１５に位置し、熱転写媒体３にリボン１３のインクを転写するサーマルヘッド２とを備えている。
【００２５】
このうちリボンカセット１０は、カセット本体１１と、カセット本体１１内に回動自在に設けられ、熱転写リボン１３（以下、リボン１３と記す）を繰り出すリボン繰出軸１２と、カセット本体１１内に回動自在に設けられ、リボン１３を巻き取るリボン巻取軸３０とを備えている。このうち、リボン巻取軸３０に、図２に示すように、リボン１３の一端が接合テープ１４により固定されている。なお、この接合テープ１４には、カッター刃１９による切断位置に対応する位置に予め切り込みを入れておくことが好ましい。このことにより、リボン１３の他方部分１３ｂを一方部分１３ａからより一層容易に分離することができる。
【００２６】
図１に示すカセット本体１１に、プリンタ１のサーマルヘッド２が装着される熱転写部１５が設けられている。この熱転写部１５において、カセット本体１１からリボン１３が露出しており、サーマルヘッド２によりカード等からなる転写媒体３にリボン１３のインクを熱転写するようになっている。また、カセット本体１１内に、リボン繰出軸１２からリボン巻取軸３０へ搬送されるリボン１３を案内する４つのガイドローラ１６、１７、１８、１９が設けられている。
【００２７】
カセット本体１１内であって、熱転写部１５とリボン巻取軸３０との間には、カッター刃２０が固定されている。このカッター刃２０は、図２に示すように、リボン１３の巻取方向に沿って一方部分１３ａと他方部分１３ｂとにリボン１３を切断するためのものである。また、カッター刃２０は、印字情報の痕跡が形成されたリボン１３（図４参照）において、この印字情報（住所、氏名、生年月日、会員番号、顔写真等の個人情報）を所望の位置で切断するように固定されている。
【００２８】
例えば、カッター刃２０を、図５に示す第１切断線３８に対応する位置に固定しても良い。この場合、リボン１３に形成された印字情報のうち、氏名および生年月日の情報と、住所、会員番号、および顔写真の情報とを分離することができる。また、別の例として、カッター刃２０を、第２切断線３９に対応する位置に固定しても良い。この場合、リボン１３に形成された印字情報のうち、顔写真が印刷された部分を分離することができる。このことにより、リボン１３を分離して廃棄する際、個人情報が漏洩することを防止することができる。
【００２９】
次に、図３を用いてリボン巻取軸３０について説明する。ここでリボン巻取軸３０は、リボン１３の巻取方向に沿って一方部分１３ａと他方部分１３ｂとに切断されたリボン１３を巻き取るためのものである。
【００３０】
リボン巻取軸３０は、リボン１３の一方部分１３ａに対応してリボン１３の一方部分１３ａを巻き取る中実円柱状の第１大径部３３と、リボン１３の他方部分１３ｂに対応してリボン１３の他方部分１３ｂを巻き取る円筒状の第２大径部３５とを有する軸部分本体３１を備えている。なお、第１大径部３３の外径と第２大径部３５の外径は略同一の外径からなっている。
【００３１】
第２大径部３５は、軸方向に沿って第１大径部３３とは反対側に延びる複数の突片３６を含んでいる。各突片３６は、第２大径部３５の全長にわたって形成され、各突片３６間にはスリット３７が形成されている。ここで、第２大径部３５は、３〜６つの突片３６を含んでいることが好ましい。このことにより、各突片３６の外周面３６ａとリボン１３の他方部分１３ｂとが当接する領域をある程度確保して、リボン１３が巻き崩れることを防止するとともに、後述する係止体３２を第２大径部３５から取り外した際、各突片３６を内側（中心軸側）へ確実に傾倒させることができる。なお、本実施の形態においては、第２大径部３５は、図３に示すように、６つの突片３６を含んでいる例について述べる。
【００３２】
図２乃至図４に示すように、各突片３６の基端３６ｂに、全周にわたって延びる環状凹部４１が設けられ、この環状凹部４１に、各スリット３７が連通している。この環状凹部４１は、第１大径部３３の外周面３３ａと第２大径部３５の外周面３５ａとの間に設けられており、図４に示すように、リボンカセット１０のカッター刃２０の固定位置、例えば、第２切断位置３９に対応している。
【００３３】
図２に示すように、軸部分本体３１の第２大径部３５には、係止体３２が嵌合している。図３に示すように、係止体３２は、円板部４２と、この円板部４２から軸方向に延び、第２大径部３５の内周面３５ｂに嵌合する小径部４３とを有している。このうち、小径部４３は、円板部４２の外径よりも小さい外径を有している。この小径部４３を第２大径部３５の内周面３５ｂに嵌合させることにより、各突片３６を係止している。なお、本実施の形態においては、円板部４２は、第１大径部３３および第２大径部３５と略同一の外径を有している。
【００３４】
係止体３２の小径部４３の外周面４３ａに、半径方向に延び、第２大径部３５の各突片３６間のスリット３７に嵌め込まれる６つの係止片４４が設けられている。これら各係止片４４が各突片３６間に嵌め込まれることにより、軸部分本体３１と係止体３２とが相互に回転することを防止し、一体に回転するようになっている。
【００３５】
係止体３２の小径部４３および各係止片４４は、第２大径部３５の突片３６の軸方向長さと略同一の軸方向長さを有している。また、本実施の形態においては、各係止片４４は、小径部４３が第２大径部３５の内周面３５ｂに嵌合した場合に、各係止片４４の外周面４４ａと各突片３６の外周面３６ａとが同一周面上に配置されるようになっている。すなわち、各係止片４４は、突片３６の厚さと略同一の半径方向長さを有し、各係止片４４の外周面４４ａは、突片３６の外周面３６ａと略同一の曲率を有している。このことにより、各突片３６間に各係止片４４を嵌め込ませた場合、各突片３６の外周面３６ａと各係止片４４の外周面４４ａとにより、第２大径部３５の外周面３５ａを周方向に連続して形成し、リボン１３の他方部分１３ｂを第２大径部３５の外周面３５ａの全周にわたって当接させることができる。
【００３６】
第１大径部３３に、プリンタ１内のリボン駆動部（図示せず）の駆動軸が嵌合する嵌合孔３４が形成され、この嵌合孔３４に、駆動軸とキー結合するための２つのキー溝４０が形成されている。このようにして、リボン駆動部からの駆動力が伝達されるようになっている。
【００３７】
次に、このような構成からなる本実施の形態の作用について説明する。
【００３８】
プリンタ１において転写媒体３に印刷を行う場合、図１に示すように、プリンタ１のリボン駆動部（図示せず）からの駆動力が、２つのキー溝４０によるキー結合によってリボン巻取軸３０に伝達され、リボン巻取軸３０が駆動される。
【００３９】
この間、リボン繰出軸１２からリボン１３が繰り出され、ガイドローラ１６、１７により案内されて熱転写部１５に搬送される。
【００４０】
搬送されたリボン１３は、サーマルヘッド２により転写媒体３に押し付けられ、リボン１３のインクが転写媒体３に熱転写される。このことにより、転写媒体３に、印字情報が印刷される。この際、リボン１３に、この印字情報の痕跡が形成される（図４参照）。
【００４１】
次に、リボン１３は、ガイドローラ１８により案内されてカッター刃２０に搬送され、図２に示すように、カッター刃２０により、巻取方向に沿って一方部分１３ａと他方部分１３ｂとに切断される。この場合、図５に示すように、印字情報の痕跡が形成されたリボン１３は、例えば、第１切断線３８または第２切断線３９に沿って切断される。
【００４２】
その後、図１に示すように、切断されたリボン１３は、ガイドローラ１９により案内され、リボン巻取軸３０に巻き取られる。この場合、切断されたリボン１３の一方部分１３ａは、軸部分本体３１の第１大径部３３に巻き取られるとともに、リボン１３の他方部分１３ｂは、第２大径部３５に巻き取られる。
【００４３】
この間、図３に示すように、第２大径部３５の内周面３５ｂに、係止体３２の小径部４３の外周面４３ａが嵌合して第２大径部３５の各突片３６を係止するとともに、各突片３６間に各係止片４４が嵌め込まれている。このことにより、各突片３６が内側へ傾倒することを防止するとともに、軸部分本体３１と係止体３２とを一体に回転させることができる。このため、リボン巻取軸３０に剛性をもたせることができる。また、各突片３６の外周面３６ａと各係止片４４の外周面４４ａとにより第２大径部３５の外周面３５ａが連続して形成されている。この場合、リボン１３の他方部分１３ｂを、第２大径部３５の外周面３５ａの全周にわたって当接させることができる。一方、中実円柱状の第１大径部３３の外周面３３ａには、溝等が形成されていないため、リボン１３の一方部分１３ａは、第１大径部３３の外周面３３ａの全周にわたって当接する。このことにより、リボン１３の他方部分１３ｂと第２大径部３５が当接する周方向の当接長さを、リボン１３の一方部分１３ａと第１大径部３３とが当接する周方向の当接長さと略同一にすることができ、リボン１３の一方部分１３ａと他方部分１３ｂとを均一に巻き取ることができる。
【００４４】
次に、使用済みのリボン１３を廃棄する方法について説明する。
【００４５】
まず、図１に示すリボンカセット１０がプリンタ１から取り外される。次に、リボンカセット１０のカセット本体１１が開けられ、リボン巻取軸３０を露出させる。
【００４６】
次に、図２および図３に示すように、軸部分本体３１から係止体３２が取り外される。この場合、係止体３２を、軸方向に沿って引き出すことにより、係止体３２を軸部分本体３１から容易かつ円滑に取り外すことができる。
【００４７】
軸部分本体３１から係止体３２が取り外されると、リボン１３の他方部分１３ｂが堅く巻き付けられた第２大径部３５の各突片３６が内側へ傾倒する。すなわち、図４中の２点鎖線に示すように、堅く巻き付けられたリボン１３の他方部分１３ｂから力を受けて、各突片３６の基端３６ｂを支点にして各突片３６が内側に傾倒する。この場合、各突片３６が第２大径部３５の全長にわたって形成され、各突片３６間のスリット３７が環状凹部４１に連通していることにより、各突片３６を確実に傾倒させることができる。
【００４８】
各突片３６が内側に傾倒すると、堅く巻き付けられていたリボン１３の他方部分１３ｂの巻き付けが緩められる。このことにより、このリボン１３の他方部分１３ｂを一方部分１３ａから分離して、第２大径部３５から容易に取り出すことができる。なお、リボン１３の他方部分１３ｂを取り出した後、各突片３６は、弾性作用によって、軸方向に平行となる元の状態に戻る。
【００４９】
その後、取り出されたリボン１３の他方部分１３ｂが廃棄される。
【００５０】
このように本実施の形態によれば、リボン１３の巻取方向に沿って切断されたリボン１３の一方部分１３ａが軸部分本体３１の第１大径部３３に巻き取られ、リボン１３の他方部分１３ｂが軸部分本体３１の第２大径部３５に巻き取られる。この場合、第２大径部３５の内周面３５ｂに、係止体３２の小径部４３の外周面４３ａが嵌合して各突片３６を係止し、第２大径部３５の各突片３６間に係止体３２の各係止片４４が嵌め込まれている。このことにより、各突片３６が内側へ傾倒することを防止するとともに、軸部分本体３１と係止体３２とを一体に回転させることができる。このため、リボン巻取軸３０が全体として剛性をもつことができ、リボン巻取軸３０を片側から駆動した場合においても、リボン１３を幅方向にわたって均一に巻き取って、リボン１３が巻き崩れることを防止することができる。この場合、リボン１３がサーマルヘッド２からずれることがないため、印刷品質が低下することを確実に防止することができる。
【００５１】
また本実施の形態によれば、係止体３２を軸方向に沿って軸部分本体３１の第２大径部３５から引き離すことにより、軸部分本体３１から係止体３２を容易に取り外すことができる。このことにより、堅く巻き付けられたリボン１３の他方部分１３ｂからの力により、各突片３６を、その基端３６ｂを支点として内側へ確実に傾倒させることができる。この場合、リボン１３の一方部分１３ａから他方部分１３ｂを分離して、第２大径部３５から容易に取り出すことができる。このため、使用済みリボン１３を分離して容易に廃棄することができ、個人情報が漏洩することを確実に防止することができる。
【００５２】
なお、本実施の形態においては、第２大径部３５の各突片３６が第２大径部３５の全長にわたって形成されている例について述べた。しかしながら、このことに限られることはなく、各突片３６の基端３６ｂを第２大径部３５の軸方向の途中部分に設けて、各突片３６が、第２大径部３５のこの途中部分から第１大径部３３とは反対側に延びるように構成しても良い。この場合においても、第２大径部３５から係止体３２を取り外した際、堅く巻き付けられたリボン１３の他方部分１３ｂからの力を受けて、各突片３６を、その基端３６ｂを支点として内側へ傾倒させることができる。
【００５３】
また、本実施の形態においては、円板部４２は、第１大径部３３および第２大径部３５と略同一の外径を有している例について述べた。しかしながらこのことに限られることはなく、円板部４２は、第１大径部３３および第２大径部３５よりも小さい外径を有していても良い。この場合、円板部４２の幅（軸方向長さ）を、リボン巻取軸３０の全長の１／３程度以下とすることにより、リボン１３を巻き崩すことなく巻き取ることができる。また、円板部４２が、第１大径部３３および第２大径部３５よりも若干大きい外径を有するようにしても良い。この場合には、円板部４２の幅を、リボン巻取軸３０の全長の１／１０程度以下とすることにより、リボン１３を巻き崩すことなく巻き取ることができる。また、このように円板部４２の外径と第１大径部３３および第２大径部３５の外径が異なる場合には、リボン巻取軸３０の両端に、第１大径部３３および第２大径部３５よりも大きい外径を有するフランジ部（図示せず）を設けることが好ましい。このことにより、リボン１３が巻き崩れることを確実に防止することができる。
【００５４】
さらに、本実施の形態においては、小径部４３が第２大径部３５の内周面３５ｂに嵌合した場合に、各係止片４４の外周面４４ａと各突片３６の外周面３６ａとが同一周面上に配置されている例について述べた。しかしながらこのことに限られることはなく、小径部４３が第２大径部３５の内周面３５ｂに嵌合した場合に、各係止片４４の外周面４４ａが、各突片３６の外周面３６ａよりも半径方向内側（凹状）、または若干半径方向外側（凸状）に配置されるように構成しても良い。また、各係止片４４の外周面４４ａの曲率は、突片３６の外周面３６ａの曲率に対して異なっていても良い。
【００５５】
第２の実施の形態
次に、図６乃至図８により、本発明の第２の実施の形態におけるリボン巻取軸について説明する。
【００５６】
図６乃至図８に示す第２の実施の形態におけるリボン巻取軸おいて、第１大径部の外周面に、第１大径部の全長にわたって軸方向に延びる複数の溝部が形成されている点が主に異なり、他の構成は、図１乃至図５に示す第１の実施の形態と略同一である。なお、図６乃至図８において、図１乃至図５に示す第１の実施の形態と同一部分には同一符号を付して詳細な説明は省略する。
【００５７】
図６および図７に示すように、第１大径部３３の外周面３３ａに、第１大径部３３の全長にわたって軸方向に延びる６つの溝部５０が形成されている。各溝部５０は、第２大径部３５の各突片３６間のスリット３７に対応して形成されており、スリット３７の幅と略同一の幅を有し、環状凹部４１に連通している。
【００５８】
また、係止体３２は、円板部４２と、この円板部４２から軸方向に延び、軸部分本体３１の第２大径部３５の内周面３５ｂに嵌合する小径部５３とを有している。このうち、小径部５３は、円板部４２の外径よりも小さい外径を有している。この小径部５３を第２大径部３５の内周面３５ｂに嵌合させることにより、各突片３６を係止している。なお、本実施の形態においては、円板部４２は、第１大径部３３および第２大径部３５と略同一の外径を有している。
【００５９】
係止体３２の小径部５３の外周面５３ａに、半径方向に延び、第２大径部３５の各突片３６間のスリット３７に嵌め込まれる６つの係止片５４が設けられている。これら各係止片５４が各突片３６間に嵌め込まれることにより、軸部分本体３１と係止体３２とが相互に回転することを防止し、一体に回転するようになっている。
【００６０】
係止体３２の小径部５３および係止片５４は、第２大径部３５の各突片３６間の一部、すなわち、第２大径部３５に巻き付けられるリボン１３の他方部分１３ｂの側縁近傍まで延びる軸方向長さを有している。一方、上述したように、第１大径部３３の外周面３３ａに、各突片３６間の各スリット３７に対応するように溝部５０が形成されている。このことにより、リボン１３の他方部分１３ｂと第２大径部３５とが当接する周方向の当接長さを、リボン１３の一方部分１３ａと第１大径部３３とが当接する周方向の当接長さと略同一にすることができる。このため、リボン１３の一方部分１３ａと他方部分１３ｂとを均一に巻き取ることができる。
【００６１】
なお、本実施の形態においては、各係止片５４は、係止体３２の小径部５３が第２大径部３５の内周面３５ｂに嵌合した場合に、各係止片５４の外周面５４ａと各突片３６の外周面３６ａとが同一周面上に配置されるようになっている。すなわち、各係止片５４は、第２大径部３５の突片３６の厚さと略同一の半径方向長さを有し、各係止片５４の外周面５４ａは、第２大径部３５の突片３６の外周面３６ａと略同一の曲率を有している。
【００６２】
このように本実施の形態によれば、リボン１３の巻取方向に沿って切断されたリボン１３の一方部分１３ａが軸部分本体３１の第１大径部３３に巻き取られ、リボン１３の他方部分１３ｂが軸部分本体３１の第２大径部３５に巻き取られる。この場合、第２大径部３５の内周面３５ｂに、係止体３２の小径部５３の外周面５３ａが嵌合して第２大径部３５の各突片３６を係止し、各突片３６間に係止体３２の各係止片５４が嵌め込まれている。このことにより、各突片３６が内側へ傾倒することを防止するとともに、軸部分本体３１と係止体３２とを一体に回転させることができる。このため、リボン巻取軸３０が全体として剛性をもつことができ、リボン巻取軸３０を片側から駆動した場合においても、リボン１３を幅方向にわたって均一に巻き取って、リボン１３が巻き崩れることを防止することができる。この場合、リボン１３がサーマルヘッド２からずれることがないため、印刷品質が低下することを確実に防止することができる。
【００６３】
なお、本実施の形態においては、係止体３２は、小径部５３を有し、この小径部５３の外周面５３ａに、６つの係止片５４が設けられている例について述べた。しかしながらこのことに限られることはなく、図８に示すように、係止体３２が小径部５３を有することなく、円板部４２から軸方向に各係止片６４を延ばすとともに、各係止片６４を軸中心まで延ばして互いに連結するようにしても良い。このことにより、各係止片６４が第２大径部３５の各突片３６間に嵌め込まれた場合、軸部分本体３１と係止体３２とが相互に回転することを防止するとともに、各突片３６を係止して、各突片３６が内側へ傾倒することを防止することもできる。
【００６４】
また、本実施の形態においては、小径部５３が第２大径部３５の内周面３５ｂに嵌合した場合に、各係止片５４の外周面５４ａと各突片３６の外周面３６ａとが同一周面上に配置されている例について述べた。しかしながらこのことに限られることはなく、小径部５３が第２大径部３５の内周面３５ｂに嵌合した場合に、各係止片５４の外周面５４ａが、各突片３６の外周面３６ａよりも半径方向内側（凹状）に配置されるように構成しても良い。この場合には、円板部４２と係止片５４とからなる係止体３２の幅を、リボン巻取軸３０の全長の１／３程度以下とすることにより、リボン１３を巻き崩すことなく巻き取ることができる。また、小径部５３が第２大径部３５の内周面３５ｂに嵌合した場合に、各係止片５４の外周面５４ａが、各突片３６の外周面３６ａよりも若干半径方向外側（凸状）に配置されるように構成しても良い。この場合には、係止体３２の幅を、リボン巻取軸３０の全長の１／１０程度以下とすることにより、リボン１３を巻き崩すことなく巻き取ることができる。このように、各係止片５４の外周面５４ａが各突片３６の外周面３６ａと同一周面上に配置されていない場合には、リボン巻取軸３０の両端に、第１大径部３３および第２大径部３５よりも大きい外径を有するフランジ部（図示せず）を設けることが好ましい。このことにより、リボン１３が巻き崩れることを確実に防止することができる。なお、各係止片５４の外周面５４ａの曲率は、突片３６の外周面３６ａの曲率に対して異なっていても良い。
【符号の説明】
【００６５】
１      印刷装置
２      サーマルヘッド
３      転写媒体
１０    リボンカセット
１１    カセット本体
１２    リボン繰出軸
１３    リボン
１３ａ  一方部分
１３ｂ  他方部分
１４    接合テープ
１５    熱転写部
１６、１７、１８、１９    ガイドローラ
２０    カッター刃
３０    リボン巻取軸
３１    軸部分本体
３２    係止体
３３    第１大径部
３３ａ  外周面
３４    嵌合孔
３５    第２大径部
３５ａ  外周面
３５ｂ  内周面
３６    突片
３６ａ  外周面
３６ｂ  基端
３７    スリット
３８    第１切断線
３９    第２切断線
４０    キー溝
４１    環状凹部
４２    円板部
４３    小径部
４３ａ  外周面
４４    係止片
４４ａ  外周面
５０    溝部
５３    小径部
５３ａ  外周面
５４    係止片
５４ａ  外周面
６４    係止片
【図１】
2011042146.tif 000003
【図２】
2011042146.tif 000004
【図３】
2011042146.tif 000005
【図４】
2011042146.tif 000006
【図５】
2011042146.tif 000007
【図６】
2011042146.tif 000008
【図７】
2011042146.tif 000009
【図８】
2011042146.tif 000010